(57)【要約】      （修正有）【課題】撮像対象用具の寸法に基づいて保存先を確定する処理を短縮できる方法を提供する。【解決手段】基準距離情報ａを有する認識マーク２と、複数の保存先から１つの保存先を指定するように選択可能な複数のマーク３２ａ−３２ｄを有する保存先判別手段とを備える撮像対象用具１を撮像した画像データに対し、前記基準距離情報を用いて、１つの前記マーク３２ａ−３２ｄに対応した長さの距離を示すマーク距離情報ｂを割り出し、該マーク距離情報ｂを用いて、前記複数のマークが含まれるように複数の仮想枠３３ａ−３３ｄを作成し、該複数の仮想枠３３ａ−３３ｄに対して画像データを保存する記憶手段内の複数の保存先に関する情報を割り当て、前記複数のマーク３２ａ−３２ｄの少なくとも１つが選択された場合に、該選択されたマークに対応する前記仮想枠に割り当てられる情報に基づいて１つの保存先を確定する保存先振分け手段として機能させる。【選択図】図７
2013242713.tif 000002
【特許請求の範囲】
【請求項１】
コンピュータを、該コンピュータに格納された画像データであって、基準距離情報を有する認識マークと、複数の保存先から１つの保存先を指定するように選択可能な複数のマークを有する保存先判別手段とを備える撮像対象用具を撮像した画像データに対し、前記基準距離情報を用いて、１つの前記マークに対応した長さの距離を示すマーク距離情報を割り出し、該マーク距離情報を用いて、前記複数のマークが含まれるように複数の仮想枠を作成し、該複数の仮想枠に対して画像データを保存する記憶手段内の複数の保存先に関する情報を割り当て、前記複数のマークの少なくとも１つが選択された場合に、該選択されたマークに対応する前記仮想枠に割り当てられる情報に基づいて１つの保存先を確定する保存先振分け手段、として機能させる画像処理プログラム。
【請求項２】
基準距離情報を有する認識マークと、複数の保存先から１つの保存先を指定するように選択可能な複数のマークを有する保存先判別手段とを備える撮像対象用具を撮像した画像データに対し、前記基準距離情報を用いて、１つの前記マークに対応した長さの距離を示すマーク距離情報を割り出し、該マーク距離情報を用いて、前記複数のマークが含まれるように複数の仮想枠を作成し、該複数の仮想枠に対して画像データを保存する記憶手段内の複数の保存先に関する情報を割り当て、前記複数のマークの少なくとも１つが選択された場合に、該選択されたマークに対応する前記仮想枠に割り当てられる情報に基づいて１つの保存先を確定する保存先振分け手段を備えることを特徴とする画像処理装置。
【請求項３】
基準距離情報を有する認識マークと、複数の保存先から１つの保存先を指定するように選択可能な複数のマークを有する保存先判別手段とを備える撮像対象用具を撮像した画像データに対し、前記基準距離情報を用いて、１つの前記マークに対応した長さの距離を示すマーク距離情報を割り出し、該マーク距離情報を用いて、前記複数のマークが含まれるように複数の仮想枠を作成し、該複数の仮想枠に対して画像データを保存する記憶手段内の複数の保存先に関する情報を割り当て、前記複数のマークの少なくとも１つが選択された場合に、該選択されたマークに対応する前記仮想枠に割り当てられる情報に基づいて１つの保存先を確定する保存先振分け工程を備えることを特徴とする画像処理方法。
【発明の詳細な説明】
【技術分野】
【０００１】
本発明は、撮像対象用具を撮像した画像データを保存するための画像処理プログラム、装置および方法に関する。
【背景技術】
【０００２】
従来、この種の画像処理プログラム（又は、装置、方法）として、撮像対象用具（例えば、ノートやメモ帳、付箋紙など）を撮像して作成した画像データに対し、複数の保存先を有さず、所定の１つの保存先のみに保存するものが知られている（例えば非特許文献１）。
【０００３】
一方、他の画像処理プログラム（又は、装置、方法）として、複数の保存先から１つの保存先を指定するように選択可能な複数のマークを有する保存先判別手段を備える撮像対象用具を撮像して作成した画像データに対し、選択されたマークに基づいて、複数の保存先から１つの保存先を確定できるものも知られている。
【０００４】
かかる画像処理プログラムでは、画像データ上の撮像対象用具の縦横の寸法を検出し、複数のマークが含まれるように、その縦横の各寸法を等間隔で等分する長さを各々計算して、撮像対象用具の縦横をｎ等分する。これにより、複数のマークを含むｎ×ｎ個の仮想枠を作成する。作成した仮想枠のうち所定の仮想枠に対し、画像データを保存する記憶手段内の保存先に関する情報を割り当てる。そして、画像データの保存先として、撮像対象用具上の複数のマークのうち選択されたマークに対応する仮想枠に割り当てられた保存先を確定する。
【０００５】
ところが、上記従来の画像処理プログラムは、撮像対象用具の縦横の寸法を検出し、撮像対象用具の縦横の寸法を等間隔で等分する長さを各々計算しており、即ち撮像対象用具の寸法に応じて保存先を確定する処理を実行している。つまり、上記従来の画像処理プログラムでは、撮像対象用具の縦横の寸法が異なる場合、寸法の異なる撮像対象用具別に、該寸法に基づく計算（処理）を行っている。よって、とりわけ互いに寸法の異なる複数の撮像対象用具を撮像した画像データに対しては、保存先を確定する処理の実行が煩雑となり処理時間が長びくなど、利便性の点で改善の余地があった。
【先行技術文献】
【非特許文献】
【０００６】
【非特許文献１】「アスクルカタログ2012春・夏号」、アスクル株式会社、2012年、P249
【発明の概要】
【発明が解決しようとする課題】
【０００７】
そこで、本発明は、上記問題に鑑みてなされたもので、撮像対象用具の寸法に基づいて保存先を確定する処理を実行する煩雑さが解消されて処理時間を短縮できるなど、利便性に優れる画像処理プログラム、装置および方法を提供することを課題とする。
【課題を解決するための手段】
【０００８】
本発明に係る画像処理プログラムは、上記課題を解決するためになされたもので、コンピュータを、該コンピュータに格納された画像データであって、基準距離情報を有する認識マークと、複数の保存先から１つの保存先を指定するように選択可能な複数のマークを有する保存先判別手段とを備える撮像対象用具を撮像した画像データに対し、前記基準距離情報を用いて、１つの前記マークに対応した長さの距離を示すマーク距離情報を割り出し、該マーク距離情報を用いて、前記複数のマークが含まれるように複数の仮想枠を作成し、該複数の仮想枠に対して画像データを保存する記憶手段内の複数の保存先に関する情報を割り当て、前記複数のマークの少なくとも１つが選択された場合に、該選択されたマークに対応する前記仮想枠に割り当てられる情報に基づいて１つの保存先を確定する保存先振分け手段、として機能させることを特徴としている。
【０００９】
かかる構成からなる画像処理プログラムによれば、基準距離情報を有する認識マークと、複数の保存先から１つの保存先を指定するように選択可能な複数のマークを有する保存先判別手段とを備える撮像対象用具を撮像した画像データに対し、前記基準距離情報を用いて、１つの前記マークに対応した長さの距離を示すマーク距離情報を割り出す。このマーク距離情報を用いて、前記複数のマークが含まれるように複数の仮想枠を作成する。作成した複数の仮想枠に対して、画像データを保存する記憶手段内の複数の保存先に関する情報を割り当てる。そして、前記複数のマークの少なくとも１つが選択された場合に、該選択されたマークに対応する前記仮想枠に割り当てられる情報に基づいて１つの保存先を確定する。
【００１０】
よって、かかる画像処理プログラムによれば、認識マークの基準距離情報に基づいて、画像データの保存先を確定することができるので、撮像対象用具の寸法とは無関係に、画像データの保存先を確定する。つまり、撮像対象用具の寸法によることなく、換言すれば寸法の異なる撮像対象用具に対して、画像データの保存先を確定する処理を画一的に実行できる。従って、かかる画像処理プログラムによれば、撮像対象用具の寸法に基づいて保存先を確定する処理を実行する煩雑さが解消されて処理時間を短縮できるなど、利便性に優れる。
【００１１】
また、本発明の画像処理装置は、基準距離情報を有する認識マークと、複数の保存先から１つの保存先を指定するように選択可能な複数のマークを有する保存先判別手段とを備える撮像対象用具を撮像した画像データに対し、前記基準距離情報を用いて、１つの前記マークに対応した長さの距離を示すマーク距離情報を割り出し、該マーク距離情報を用いて、前記複数のマークが含まれるように複数の仮想枠を作成し、該複数の仮想枠に対して画像データを保存する記憶手段内の複数の保存先に関する情報を割り当て、前記複数のマークの少なくとも１つが選択された場合に、該選択されたマークに対応する前記仮想枠に割り当てられる情報に基づいて１つの保存先を確定する保存先振分け手段を備えることを特徴としている。
【００１２】
また、本発明の画像処理方法は、基準距離情報を有する認識マークと、複数の保存先から１つの保存先を指定するように選択可能な複数のマークを有する保存先判別手段とを備える撮像対象用具を撮像した画像データに対し、前記基準距離情報を用いて、１つの前記マークに対応した長さの距離を示すマーク距離情報を割り出し、該マーク距離情報を用いて、前記複数のマークが含まれるように複数の仮想枠を作成し、該複数の仮想枠に対して画像データを保存する記憶手段内の複数の保存先に関する情報を割り当て、前記複数のマークの少なくとも１つが選択された場合に、該選択されたマークに対応する前記仮想枠に割り当てられる情報に基づいて１つの保存先を確定する保存先振分け工程を備えることを特徴としている。
【発明の効果】
【００１３】
本発明の画像処理プログラム、装置および方法によれば、基準距離情報を有する認識マークと、複数の保存先から１つの保存先を指定するように選択可能な複数のマークを有する保存先判別手段とを備える撮像対象用具を撮像した画像データに対し、前記基準距離情報を用いて、１つの前記マークに対応した長さの距離を示すマーク距離情報を割り出し、該マーク距離情報を用いて、前記複数のマークが含まれるように複数の仮想枠を作成し、該複数の仮想枠に対して画像データを保存する記憶手段内の複数の保存先に関する情報を割り当て、前記複数のマークの少なくとも１つが選択された場合に、該選択されたマークに対応する前記仮想枠に割り当てられる情報に基づいて１つの保存先を確定する。よって、かかる画像処理プログラム、装置および方法によれば、認識マークの基準距離情報に基づいて、画像データの保存先を確定することができるので、撮像対象用具の寸法とは無関係に、即ち寸法の異なる撮像対象用具に対して、画像データの保存先を確定する処理を画一的に実行できる。従って、かかる画像処理プログラム、装置および方法によれば、撮像対象用具の寸法に基づいて保存先を確定する処理を実行する煩雑さが解消されて処理時間を短縮できるなど、利便性に優れるという効果を奏する。
【図面の簡単な説明】
【００１４】
【図１】本実施形態に係る付箋紙の正面図を示す。
【図２】複数の同付箋紙が１つの画像に収まるように撮像する際の撮像対象面を示す。
【図３】複数の同付箋紙を画像データとして読み取り保存するフローチャートを示す。
【図４】撮像対象用具の認識対象範囲作成工程のフローチャートを示す。
【図５】（ａ）は多角形状の枠の認識（図４のＳ２４）で認識した多角形状の枠を示し、（ｂ）は認識対象範囲の作成（図４のＳ２５）の一方法で作成した四角形状の枠を示し、（ｃ）は認識対象範囲の作成（図４のＳ２５）の他方法で作成した四角形状の枠を示す。
【図６】保存先振分け処理のフローチャートを示す。
【図７】同付箋紙の仮想枠の概念図を示す。
【発明を実施するための形態】
【００１５】
以下、本発明に係る画像処理プログラム、装置および方法の一実施形態について図面を参照しつつ説明する。
【００１６】
本実施形態にかかる撮像対象用具は、図１に示すような付箋紙１である。付箋紙１は、正面視四角形の板状をなす板状本体１０と、該板状本体１０に設けられる認識マーク２及び保存先判別手段３とを備えてなる。尚、図１の正面図を基準にして、付箋紙１の左右方向、上下方向（天地方向）、前後方向（表裏方向）を規定する。
【００１７】
板状本体１０は、正面視略正方形に形成され、厚さ一定の板状をなす。具体的には、板状本体１０は、有色の紙片であり、本実施形態では、板状本体１０は、黄緑色の紙片である。この板状本体１０の表面１０ａ中央部は、記載可能部分Ａ（手書きや印刷された文字や図形など）を含む所定範囲となっている。本実施形態では、所定範囲は、認識マーク２及び保存先判別手段３が設けられた下部よりも上側の範囲である。尚、板状本体１０は、正面視略正方形に限らず、正面視略矩形（長方形）に形成されることも可能である。また、板状本体１０は、黄緑色に限らず、他の色であって例えば青色やピンク色で構成されることも可能である。或いは、板状本体１０は、有色に限らず、無色（白色）や透明で構成されることも可能であり、また、紙に限らず、合成樹脂のシートなどで構成されることも可能である。本実施形態では、板状本体１０は、左右方向の長さが略７５ｍｍ、上下方向の長さが略７５ｍｍ、厚さが略０．１ｍｍのサイズからなる正方形状をなす。尚、板状本体１０のサイズ（上下寸法、左右寸法、前後寸法）は、上記に限定されない。例えば、板状本体１０は、Ａ３からＡ６サイズ、Ｂ１からＢ６サイズなど種々の定型サイズ（上下寸法、左右寸法）、又は、左右方向の長さが略７５ｍｍで上下方向の長さが略２５ｍｍ、もしくは、左右方向の長さが略７４ｍｍで上下方向の長さが略１０５ｍｍなどの任意サイズに設定することができる。
【００１８】
かかる板状本体１０の裏面には、接着可能な糊付けがなされた接着部が設けられる。また、板状本体１０の隅部（角部）であって右下の隅部には、認識マーク２が設けられている。また、板状本体１０の隅部（角部）であって左下の隅部には、保存先判別手段３が設けられている。
【００１９】
認識マーク２は、基準距離情報を有して構成される。具体的には、認識マーク2は、離間して対向する１対の対向部２ａ，２ｂで構成されている。この離間する距離が基準距離である。本実施形態では、一対向部２ａは、略Ｌ字形状をなし、他対向部２ｂは、Ｌ字を反転させた略反転Ｌ字形状をなす。このとき、基準距離は、一対向部２ａの左端と他対向部２ｂの右端との間の距離ｒ１である。この認識マーク2は、板状本体10の右下の隅部に、左右方向に沿って設けられている。また、認識マーク２を構成する１対の対向部２ａ，２ｂの間には、点が二つ左右方向に並んで設けられている。この二つの点は、例えば、年月日などを記載する際に、年と月と日とを各々区切るためのものである。また、認識マーク２の下には、左右方向に沿う直線が板状本体１０の下辺に沿って設けられている。この直線は、例えば、所定の美感を生じさせるように意匠性・デザイン性を向上させるためのものである。尚、認識マーク２は、離間して対向する１対の対向部２ａ，２ｂで構成される場合に限らず、１つのマークで構成することも可能である。例えば、該１つのマークは、四角形状で構成され、該四角形状の一端と該一端に対向する他端と（又は、該四角形状の一辺と該一辺に対向する他辺と）の間の距離ｒ１を基準距離とすることもできる。また、認識マーク２は、板状本体10の右下の隅部から所定長離間した中央部寄りの位置に設けられることや、板状本体10の右下縁に設けられることも可能である。
【００２０】
かかる認識マーク２は、板状本体１０の表面１０ａに設けられている。具体的には、認識マーク２は、例えばＵＶ硬化インク又は溶剤インクを用いて、シルク印刷、オンデマンド印刷、オフセット印刷などの方法でシートに印刷されている。インクに使用する色の数は、単数又は複数であり、本実施形態では、１色が用いられる。この色の濃淡は、一定となるように構成してもよいし、変化するように構成してもよい。また、認識マーク２のサイズは、左右方向の長さ（図１の基準距離ｒ１）が略２３ｍｍ、上下方向の長さが略４ｍｍで構成される。尚、この認識マーク２のサイズは、板状本体１０のサイズに応じて設定され、上記に限定されない。
【００２１】
保存先判別手段３は、選択可能な複数のマークを有して構成される。具体的には、保存先判別手段３は、保存先判別マーク３１と指定部３２（選択可能な複数のマーク）とを備えてなる。保存先判別マーク３１は、板状本体１０に着脱可能に構成されている。本実施形態では、保存先判別マーク３１は、筆記用具を用いて描く（又は塗潰す）ことによって作成される塗潰し部である。保存先判別マーク３１は、筆記用具（例えば、シャープペンシルなどの筆記具と消しゴムなどの修正具）を用いて、板状本体１０の表面１０ａを塗潰したり、該塗潰しを消したりすることで、板状本体１０に設け、又は、板状本体１０から取り除き可能に構成される。
【００２２】
指定部３２は、複数の指定枠（領域）で構成される。本実施形態では、指定部３２は、左右に直線状に連続的に配置される４つの指定枠（領域）３２ａ，３２ｂ，３２ｃ，３２ｄ（以下、３２ａ−３２ｄ）からなり、各指定枠は、四角形状の領域を有する（図１、図７参照）。詳細には、各指定枠では、四角形状の領域が右上と左下との頂点を結ぶ線によって二等分され、左上半分の三角形状の範囲が地色（板状本体１０と同色）と異なる色（具体的には、黒色）で、右下半分の三角形状の範囲が地色（具体的には、板状本体１０と同じ黄緑色）をなす。また、四角形状の領域の下端（下辺）であって、右下半分の三角形状の範囲の下端（下辺）には、左右方向に沿う輪郭線が設けられている。この輪郭線は、地色と異なる色であって、左上半分の三角形状の範囲と同色を有している。また、右下半分の三角形状の範囲内には、各指定枠３２ａ−３２ｄを相互識別可能な数字が設けられている。詳細には、指定枠３２ａの輪郭線の上には「１」、指定枠３２ｂには「２」、指定枠３２ｃには「３」、指定枠３２ｄには「４」が各々設けられている。この各数字は、地色と異なる色であって、左上半分の三角形状の範囲と同色を有している。各指定枠のサイズは、左右方向の長さ（図１の距離ｒ２）が略４ｍｍ、上下方向の長さが略４ｍｍで構成される。かかる各指定枠は、少なくとも１つを選択可能に構成されている。具体的には、各指定枠は、筆記具を用いて、右下半分の三角形状の範囲（数字を含む）を全部又は一部を塗潰すことで選択可能に構成されている。本実施形態は、各指定枠は、筆記具を用いて、右下半分の三角形状の範囲（数字を含む）を全部塗潰すことで選択されるように構成されており、各指定枠から１つの指定枠のみを選択可能に構成されている。
【００２３】
尚、本実施形態では、各指定枠（領域）３２ａ−３２ｄは、「１，２，３，４」の数字を有しているが、「１，２，３，４」の数字を設けないことも可能である。或いは、各指定枠３２ａ−３２ｄは、「１，２，３，４」以外の他の数字、或いは、文字、図形、記号のマークを有することも可能である。かかる指定部３２の各指定枠３２ａ−３２ｄは、後述の保存先振分け処理（図３のＳ５、図６参照）に基づき、画像データを保存するための複数の保存先に関する情報を備えてなる。よって、指定部３２の各指定枠３２ａ−３２ｄは、選択によって複数の保存先から１つの保存先を指定するためのものである。
【００２４】
かかる保存先判別手段３では、指定部３２が板状本体１０の左下の隅部に印刷されて設けられると共に、保存先判別マーク３１が指定部３２の左から２つ目の指定枠３２ｂ内を筆記用具で塗潰すことで設けられている（図１参照）。
【００２５】
ここで、保存先判別マーク３１は、指定部３２に着脱可能に構成されている。具体的には、保存先判別マーク３１は、板状本体１０に着脱させることで、各指定枠３２ａ−３２ｄに着脱可能になっている。より詳細には、保存先判別マーク３１は、板状本体１０を塗潰したり、該塗潰しを消したりすることで、各指定枠３２ａ−３２ｄに移動可能、即ち、各指定枠３２ａ−３２ｄを選択可能になっている。
【００２６】
以上の構成からなる撮像対象用具を複数用いて、各撮像対象用具における記載可能部分Ａ（手書きや印刷された文字や図形など）を画像データとして読み取り、所定の処理（保存や転送など）をする画像処理プログラム、装置および方法について図２から図７を参照しつつ説明する。
【００２７】
本実施形態では、３つの付箋紙１の記載可能部分Ａに手書きの記載をした場合に、３つの付箋紙１を１つの画像に収めるように撮像して、各記載可能部分Ａを画像データとして読み取り保存する。この一連の処理には、コンピュータと、該コンピュータに組み込まれる画像処理プログラムとが用いられる。
【００２８】
コンピュータは、画像データに含まれる撮像対象用具の所定範囲を保存する画像処理装置であって、汎用コンピュータで構成される。このコンピュータ（画像処理装置）は、基準距離情報を有する認識マーク２と、複数の保存先から１つの保存先を指定するように選択可能な複数の指定枠３２ａ−３２ｄを有する保存先判別手段３とを備える撮像対象用具を撮像した画像データに対し、前記基準距離情報を用いて、１つの前記指定枠３２ａ−３２ｄに対応した長さの距離を示す指定枠距離情報を割り出し、該指定枠距離情報を用いて、前記複数の指定枠３２ａ−３２ｄが含まれるように複数の仮想枠を作成し、該複数の仮想枠に対して画像データを保存する記憶手段内の複数の保存先に関する情報を割り当て、前記複数の指定枠３２ａ−３２ｄの少なくとも１つが選択された場合に、該選択された指定枠３２ａ−３２ｄに対応する前記仮想枠に割り当てられる情報に基づいて１つの保存先を確定する保存先振分け手段を備えてなる。本実施形態では、コンピュータ（画像処理装置）は、撮像手段（例えば、撮像素子、レンズ）、表示手段（例えば、液晶画面）、上記の保存先振分け手段を含む画像処理手段（例えば、ＣＰＵ又はＭＰＵ）、記憶手段（例えば、メモリ）を備える多機能一体型装置であって、例えばカメラ機能付きの携帯電話機で構成される。
【００２９】
画像処理プログラムは、画像データに含まれる撮像対象用具の所定範囲を保存する画像処理をコンピュータに行わせるプログラムである。この画像処理プログラムは、前記コンピュータを、該コンピュータに格納された画像データであって、基準距離情報を有する認識マーク２と、複数の保存先から１つの保存先を指定するように選択可能な複数の指定枠３２ａ−３２ｄを有する保存先判別手段３とを備える撮像対象用具を撮像した画像データに対し、前記基準距離情報を用いて、１つの前記指定枠３２ａ−３２ｄに対応した長さの距離を示す指定枠距離情報を割り出し、該指定枠距離情報を用いて、前記複数の指定枠３２ａ−３２ｄが含まれるように複数の仮想枠を作成し、該複数の仮想枠に対して画像データを保存する記憶手段内の複数の保存先に関する情報を割り当て、前記複数の指定枠３２ａ−３２ｄの少なくとも１つが選択された場合に、該選択された指定枠３２ａ−３２ｄに対応する前記仮想枠に割り当てられる情報に基づいて１つの保存先を確定する保存先振分け手段、として機能させるように構成される。
【００３０】
かかる画像処理プログラムを組み込んだコンピュータ（画像処理装置）を用いて、画像処理方法が実行される。本実施形態の画像処理方法は、画像データに含まれる付箋紙１の所定範囲を保存する画像処理方法であって、基準距離情報を有する認識マーク２と、複数の保存先から１つの保存先を指定するように選択可能な複数の指定枠３２ａ−３２ｄを有する保存先判別手段３とを備える撮像対象用具を撮像した画像データに対し、前記基準距離情報を用いて、１つの前記指定枠３２ａ−３２ｄに対応した長さの距離を示す指定枠距離情報を割り出し、該指定枠距離情報を用いて、前記複数の指定枠３２ａ−３２ｄが含まれるように複数の仮想枠を作成し、該複数の仮想枠に対して画像データを保存する記憶手段内の複数の保存先に関する情報を割り当て、前記複数の指定枠３２ａ−３２ｄの少なくとも１つが選択された場合に、該選択された指定枠３２ａ−３２ｄに対応する前記仮想枠に割り当てられる情報に基づいて１つの保存先を確定する保存先振分け工程（図３のＳ５、図６参照）を備えてなる。
【００３１】
以下では、上記構成の画像処理プログラム、装置および方法による画像処理の流れについて具体的に説明する。記載可能部分Ａに手書きのメモがなされている付箋紙１を３つ用意する（図２参照）。尚、本実施形態では、図２に示すように、互いに異なるサイズの付箋紙１が３つ用意されているが、同じサイズの付箋紙１が３つ用意されてもよい。また、用意される付箋紙１の数は、３つに限らず、１つのみ、或いは２つや４つ以上であることも可能である。
【００３２】
この３つの付箋紙１を並べて配置した撮像対象面を、３つの付箋紙１が１つの画像に収まるように、携帯電話機の撮像手段（カメラ機能）で撮像し、画像データを携帯電話機内に格納（取得）する（図３のＳ１）。尚、以下の処理工程（図３のＳ２からＳ６）は、携帯電話機内で実行される。
【００３３】
携帯電話機又は画像処理プログラムの画像処理（詳細には、認識対象範囲作成手段）によって、画像データから付箋紙１の認識対象範囲を検出、即ち認識対象範囲を３つの各付箋紙１に対して作成する（図３のＳ２、図４の認識対象範囲作成工程）。この認識対象範囲作成工程では、１つの付箋紙１の輪郭（外周縁）に基づいて１つの認識対象範囲を作成する。即ち、１つの付箋紙１に対して１つの認識対象範囲が作成される。具体的には、３つの付箋紙１が１つの画像に収まるように撮像された画像データを用いて、付箋紙１の所定範囲を含む輪郭（外周縁）に基づき、各付箋紙１の所定範囲に関する多角形状の枠を各付箋紙１から認識し、該各多角形状の枠に基づき、前記各付箋紙１に対応した記録可能な範囲として、前記所定範囲を含む認識対象範囲を各付箋紙１に対して作成する。より詳細には、画像データのノイズを除去し（図４のＳ２１）、グレースケール画像を作成し（図４のＳ２２）、グレースケール画像を二値化して二値化画像を作成する（図４のＳ２３）。作成した二値化画像のエッジを線形化して多角形状の枠を認識し（図４のＳ２４）、認識した多角形状の枠に基づき、認識対象範囲を作成する（図４のＳ２５）。
【００３４】
画像中のノイズ除去（図４のＳ２１）では、画像データを１／２倍に縮小して（間引いて）、２倍に拡大する。２倍に拡大する際の画像補間としては、最近隣補間、線形補間、三次畳み込み補間などの補間法が用いられる。
【００３５】
グレースケール画像の作成（図４のＳ２２）では、ＮＴＳＣ係数による加重平均法、又は、彩度を画素値に変換する方法によって、画像データからグレースケール画像を生成する。グレースケール画像により、各付箋紙１の範囲（領域）を強調して表現する。尚、本実施形態では、グレースケール画像は、上記の２通りの方法によって各々作成される。
【００３６】
二値化画像の作成（図４のＳ２３）では、所定の閾値を設定して該閾値に基づき閾値以上の画素と閾値以下の画素とに画素を分ける方法、又は、Ｃａｎｎｙ法によって、グレースケール画像から二値化画像を生成する。この二値化画像により、各付箋紙１とその他の領域とが分けられる。尚、本実施形態では、二値化画像は、上記の２通りの方法によって各々作成される。
【００３７】
多角形状の枠の認識（図４のＳ２４）では、二値化画像のエッジを認識する。具体的には、二値化画像の二値の境界を輪郭とみなし、多角形状の枠を認識する。これにより、各付箋紙１の輪郭（外周縁）に対応する多角形状の枠が認識される。尚、図５（ａ）の多角形状の枠Ｐは、図２の３つの付箋紙１のうち、左下の付箋紙１の輪郭（外周縁）に対応するものであって、概念的な例示である。この多角形状の枠Ｐは、閉じた枠線（詳細には、実線の枠線）で構成されているが、途切れ途切れの枠線（詳細には、点線又は破線の枠線）であってもよい。
【００３８】
認識対象範囲の作成（図４のＳ２５）では、多角形状の枠Ｐを包含する（囲む）四角形状の枠Ｑを作成する方法（図５（ｂ）参照）、又は、多角形状の枠Ｐを四角形状の枠Ｑに近似させる方法（図５（ｃ）参照）によって、多角形状の枠Ｐを用いて認識対象範囲として四角形状の枠Ｑを作成する。前者の方法では、多角形状の枠Ｐを囲む四角形状の枠Ｑのうち、面積が最小となる四角形状の枠Ｑ内の面積を計算する。この四角形状の枠Ｑ内の面積と多角形状の枠Ｐ内の面積との比が所定の閾値以下の場合、この四角形状の枠Ｑを検出する（図５（ｂ）の太線枠を参照）。後者の方法では、多角形状の枠Ｐを形成する各辺に対し、隣接する二辺を連結する連結点（頂点）から該二辺の離間する端点同士を結んだ線までの最短距離が所定の閾値以下のとき、該隣接する二辺を、該二辺の離間する端点同士を結んだ線で近似（置換）する。この近似により、多角形状の連結点数（頂点数）を調整して四角形状にする（図５（ｃ）の太線枠を参照）。尚、本実施形態では、認識対象範囲は、上記の２通りの方法によって各々作成される。即ち、上記のグレースケール画像の作成（図４のＳ２２）と二値化画像の作成（Ｓ２３）と認識対象範囲の作成（Ｓ２５）とは、各々２通りの方法を有するので、前記四角形状の枠Ｑは合計８通りのパターンで各付箋紙１に対して作成される。
【００３９】
このように作成した四角形状の枠Ｑでは、画像データの左上を原点として、下方にｙ軸正方向、右方にｘ軸正方向とする左手系座標を用いて、「左上の点」「左下の点」「右下の点」「右上の点」が確定される。具体的には、ｘ座標とｙ座標の和が最小となる点を「左上の点」する。また、「左上の点」と隣接する頂点のうち、ｙ軸に近い頂点を「左下の点」、遠い頂点を「右上の点」とする。更に「左上の点」と隣接しない頂点を、「右下の点」とする。このように、四角形状の枠Ｑの４つの頂点に対し、「左上の点」「左下の点」「右下の点」「右上の点」が順に確定される。
【００４０】
そして、各付箋紙１について、上記８通りのパターンで作成された四角形状の枠Ｑの形状を平準化処理（均質化処理）する。具体的には、各付箋紙１に対し、上記８通りのパターンで作成された四角形状の枠Ｑから、２つの四角形状の枠の組み合わせを全て抽出し、抽出した全ての組み合わせに係る２つの四角形状の枠に対してマージ処理を適宜行う。詳細には、２つの四角形状の枠に対し、対応する頂点同士（例えば、一方の四角形状の枠の左下の点と他方の四角形状の枠の左下の点）の距離を計算する。この距離が所定の閾値以下である場合、２つの四角形状の枠の全頂点の座標から、ｘ座標およびｙ座標の平均を求め、「中心座標」とする。そして２つの四角形状の枠の左上の点について、中心ｘ座標から遠い方のｘ座標を求める。２つの四角形状の枠の左上の点について、中心ｙ座標から遠い方のｙ座標を求める。上記のｘ、ｙ座標を、マージ後の左上の点の座標とする。同様に、マージ後の左下、右下、右上の点の座標を計算する。２つの四角形状の枠を検出結果から除去し、マージ後の四角形状の枠を検出結果に追加する。一方、２つの四角形状の枠の対応する頂点同士の距離が所定の閾値以上となる場合には、該２つの四角形状の枠に対してマージ処理を行うことなく検出結果に追加する。以上の四角形状の枠Ｑ形状の平準化（即ち、撮像対象用具の認識対象範囲の作成（図３のＳ２、図４のＳ２５））後、１つの付箋紙１に対し、複数の四角形状（例えば、正方形状、長方形状、台形状）の枠が取得（検出又は作成）される。
【００４１】
撮像対象用具の認識対象範囲を作成（図３のＳ２）後、画像データから、各付箋紙１に対し、前記取得した四角形状の枠に基づく切り出しを行い、各付箋紙１の認識対象画像データを取得（作成）し、幾何補正をする（図３のＳ３）。具体的には、画像の左上を原点として、下方にｙ軸正方向、右方にｘ軸正方向とする左手系座標を用いて、射影変換（透視変換）を行う。これにより、四角形状の枠の四つの頂点に囲まれる領域（例えば、台形状の領域）が四角形状領域（正方形状又は長方形状領域）となるように補正される。そして、各付箋紙１の幾何補正した認識対象画像データが得られる。尚、１つの付箋紙１に対する認識対象画像データは、認識対象範囲の作成（図４のＳ２５）によって得られた複数の四角形状の枠に基づき、複数作成される。
【００４２】
ここで、上記の四角形状領域が確定（調整）された認識対象範囲である。この認識対象範囲は、付箋紙１の輪郭（外周縁）に基づいて作成されている。具体的には、認識対象範囲は、四角形状の枠を調整（幾何補正）することで確定されており、該四角形状の枠は、付箋紙１の所定範囲（記載可能部分Ａを含む）を含む輪郭に対応して認識された多角形状の枠に基づいて作成されている。よって、認識対象範囲は、撮像対象用具に対応した記録可能な範囲として、前記所定範囲を含んでなる。具体的には、各付箋紙１の認識対象範囲は、各付箋紙１の所定範囲の全て又は略全てを含んで構成されている。
【００４３】
幾何補正（図３のＳ３）後、取得した各付箋紙１の認識対象画像データ上で認識マーク２を検出する（図３のＳ４）。具体的には、マーク画像の学習を行い、マーク範囲の特定をし、学習データを用いて認識マーク２を検出する。
【００４４】
詳細には、上記のマーク画像の学習では、認識マーク２のパターン認識による機械学習を行う。詳細には、ＯｐｅｎＣＶなどの外部ライブラリを用いたマークパターン（詳細には、Ｈａａｒ−ｌｉｋｅ特徴による特徴量）の学習を行う（詳細には、Ａｄａｂｏｏｓｔによる学習アルゴリズム）。
【００４５】
また、マーク範囲の特定では、画像から認識マーク２のある範囲を絞り込む。例えば、画像上の右下から画像の左右方向幅の30%、上下方向幅の20%の領域を絞り込む。この絞り込みによって、画像全域を対象にしてマーク検出をする場合と比較して、認識マーク２を検出する速度が極めて向上する。
【００４６】
また、学習データを用いた認識マーク２の検出では、上記の絞り込んだ範囲に対して、マーク画像の学習による学習データに基づいて認識マーク２を検出する。
【００４７】
認識マーク２の検出（図３のＳ４）後、各付箋紙１の認識対象画像データ上の保存先判別マーク３１の相対位置（詳細には、指定部３２に対する保存先判別マーク３１の相対位置）に基づいて、付箋紙１の認識対象画像データを保存する記憶手段内の複数の保存先（振り分け先）から１つの保存先を確定する（図３のＳ５の保存先振分け処理）。そして、この確定した保存先（即ち、メモリ上の所定フォルダ）に各付箋紙１の認識対象画像データが保存される（図３のＳ６）。
【００４８】
ここで、付箋紙１の認識対象画像データの保存先の確定（図３のＳ５の保存先振分け処理）では、保存先判別手段３に基づいて、即ち、保存先判別マーク３１が設けられている指定枠３２ａ−３２ｄに割り当てられた保存先の情報に基づいて、付箋紙１の認識対象画像データを保存する保存先を確定している。具体的には、保存先振分け処理（図３のＳ５）では、基準距離情報（画像上の基準距離の長さａ）を用いて、１つの指定枠３２ａ−３２ｄに対応した長さの距離を示す指定枠距離情報（マーク距離情報であって、詳細には、指定枠距離ｂ）を割り出し、該指定枠距離情報を用いて、前記複数の指定枠３２ａ−３２ｄが含まれるように複数の仮想枠を作成し、該複数の仮想枠に対して認識対象画像データを保存する記憶手段内の複数の保存先に関する情報を割り当て、前記複数の指定枠３２ａ−３２ｄの少なくとも１つが選択された場合に、該選択された指定枠３２ａ−３２ｄに対応する前記仮想枠に割り当てられる情報に基づいて１つの保存先を確定する。換言すれば、携帯電話機又は画像処理プログラムの画像処理（詳細には、保存先振分け処理）によって、図６に示すように、各仮想枠３３ａ−３３ｄの範囲を計算し（Ｓ５１）、各仮想枠３３ａ−３３ｄ内の閾値以下の画素数割合を計算し（Ｓ５２）、保存先を決定する（Ｓ５３）。
【００４９】
より詳細には、仮想枠の範囲計算（図６のＳ５１）では、保存先に関する情報が割り当てられた各仮想枠３３ａ−３３ｄの範囲が計算される。本実施形態では、検出した認識マーク２を用いて、基準距離情報として基準距離の長さａを取得する（図７参照）。基準距離の長さａを用いて、１つの指定枠３２ａ−３２ｄに対応した長さの距離を示す指定枠距離情報を算出する。詳細には、指定枠距離ｂは、基準距離ａを定数ｎで除算して算出する。よって、指定枠距離ｂ＝基準距離ａ／定数ｎである。ここで、定数ｎは、実際の付箋紙１（図１参照）における基準距離ｒ１を各指定枠３２ａ−３２ｄの左右方向の長さｒ２で除算した値である。即ち、定数ｎ＝ｒ１／ｒ２である。本実施形態では、指定枠距離ｂは、基準距離ａよりも小さい。この算出した指定枠距離ｂを用いて、４つの指定枠３２ａ−３２ｄが含まれるように複数の仮想枠を作成する。具体的には、図７に示すように、付箋紙１の左右方向をｘ軸方向に沿って指定枠距離ｂ間隔で等分して複数個の仮想枠範囲が計算され、この複数個の仮想枠のうち２番目から５番目までの４つの仮想枠に対して、４つの互いに異なる保存先（フォルダ）の情報を割り当てて（リンクさせて）、仮想枠３３ａ−３３ｄを作成している。ここで、仮想枠３３ａの範囲には、指定枠３２ａを含む。仮想枠３３ｂの範囲には、指定枠３２ｂを含む。仮想枠３３ｃの範囲には、指定枠３２ｃを含む。仮想枠３３ｄの範囲には、指定枠３２ｄを含む。この仮想枠の計算について、より詳細に説明しておくと、画像（各付箋紙１の認識対象画像データ）の座標原点（左上頂点）から指定枠距離ｂ間隔でｘ軸を等分する（図７のｘ（０），ｘ（１），ｘ（２），ｘ（３），ｘ（４），ｘ（５）参照）。等分したｋ番目の線とｋ+１番目の線とを仮想枠ｋの左端ｘ（ｋ）と右端ｘ（ｋ+１）とにする。続いて認識マーク２のｙ軸中心（上下方向の中心）ｙ（０）を計算する。各仮想枠の上端ｙ（１）と下端ｙ（２）とを、前記中心ｙ（０）から所定の値（例えば基準距離ａに基づく値）として外部から指定、又は、認識マーク２の上端及び下端を用いて指定する。ここで、左端ｘ（ｋ）と右端ｘ（ｋ+１）と上端ｙ（１）と下端ｙ（２）とに囲まれた範囲（領域）を仮想枠ｋとして指定する。そして、仮想枠３３ａは、上記のｋが１のときの仮想枠１であり、左端ｘ（１）と右端ｘ（２）と上端ｙ（１）と下端ｙ（２）とに囲まれ、指定枠３２ａを包含する範囲として指定される。同様に、仮想枠３３ｂ−３３ｄの範囲が指定枠３２ｂ−３２ｄを各々包含するように指定される。
【００５０】
また、各仮想枠範囲の塗りつぶし割合計算（図６のＳ５２）では、閾値以上の画素値を白、閾値以下の画素値を黒に変換して付箋紙１の認識対象画像データを二値化する。そして、各仮想枠内における閾値以下の黒色画素の割合を計算する。本実施形態では、板状本体１０の地色の画素が白に変換され、筆記具で塗潰した領域である保存先判別マーク３１や地色以外の色の画素が黒に変換され、各仮想枠３３ａ−３３ｄ内の黒の画素割合を計算する。
【００５１】
また、保存先の決定（図６のＳ５３）では、各仮想枠のうち、最も黒色画素の割合の高い仮想枠を決定（選択）する。そして黒色画素の割合が閾値以上であればその仮想枠に割り当てられた保存先（フォルダ）を指定したとみなし、閾値以下であれば指定なしとする。本実施形態では、例えば図２の左上の付箋紙１では、指定枠３２ｂに保存先判別マーク３１が設けられているので、保存先の決定（図６のＳ５３）によって、４つの指定枠３２ａ−３２ｄのうち、指定枠３２ｂが指定（選択）され、指定枠３２ｂに対応する仮想枠３３ｂに割り当てられた保存先（フォルダ）に付箋紙１の認識対象画像データが保存されるように構成される。同様に、図２の左下の付箋紙１では、指定枠３２ｄに保存先判別マーク３１が設けられているので、保存先の決定（図６のＳ５３）によって、指定枠３２ｄが指定（選択）され、その指定枠３２ｄに対応する仮想枠３３ｄに割り当てられた保存先（フォルダ）に付箋紙１の認識対象画像データが保存されるように構成される。また、図２の右の付箋紙１では、指定枠３２ａに保存先判別マーク３１が設けられているので、保存先の決定（図６のＳ５３）によって、指定枠３２ａが指定（選択）され、その指定枠３２ａに対応する仮想枠３３ａに割り当てられた保存先（フォルダ）に付箋紙１の認識対象画像データが保存されるように構成される。
【００５２】
保存処理（図３のＳ６）では、まず、仮保存処理として、各付箋紙１の複数の認識対象画像データの一時的な保存がなされる。この仮保存処理は、ユーザが各付箋紙１の複数の認識対象画像データから保存対象を容易に選択できるように、各付箋紙１の複数の認識対象画像データを表示手段（ユーザインターフェイス）上に画像表示するために行われる。また、仮保存処理では、記憶手段への一時保存と容量（メモリ容量）の節約とのため、上記の幾何補正（図３のＳ３）と同様な幾何補正を再度行い、上記の幾何補正（図３のＳ３）前の四角形状の枠で切り出した認識対象画像データを破棄する。例えば、仮保存処理後、表示手段上にサムネイルなどのリスト形式で選択肢が表示され、ユーザは任意で保存対象を選択する。具体的には、ユーザのコマンド実行により、表示手段上で、各付箋紙１の複数の認識対象画像データのうち、保存したい認識対象画像データを選択／非選択（保存／破棄）し、記憶手段（保存先の決定（図６のＳ５３）に基づく保存先）に保存する。尚、ユーザが保存対象を任意に選択することなく、付箋紙１の全認識対象画像データを自動保存することも可能である。
【００５３】
本実施形態では、ユーザは、例えば図２の左上の付箋紙１に対応する１つ又は複数の付箋紙１の認識対象画像データを保存すべく選択する。すると、この付箋紙１では、指定枠３２ｂに保存先判別マーク３１が設けられているので、指定枠３２ｂに対応する仮想枠３３ｂに割り当てられた保存先（フォルダ）に付箋紙１の認識対象画像データが保存される。或いは、ユーザは、図２の左下の付箋紙１に対応する１つ又は複数の付箋紙１の認識対象画像データを保存すべく選択する。すると、この付箋紙１では、指定枠３２ｄに保存先判別マーク３１が設けられているので、指定枠３２ｄに対応する仮想枠３３ｄに割り当てられた保存先（フォルダ）に付箋紙１の認識対象画像データが保存される。或いは、ユーザは、図２の右の付箋紙１に対応する１つ又は複数の付箋紙１の認識対象画像データを保存すべく選択する。すると、この付箋紙１では、指定枠３２ａに保存先判別マーク３１が設けられているので、指定枠３２ａに対応する仮想枠３３ａに割り当てられた保存先（フォルダ）に付箋紙１の認識対象画像データが保存される。
【００５４】
以上、本実施形態に係る画像処理プログラム、装置および方法によれば、基準距離情報を有する認識マーク２と、複数の保存先から１つの保存先を指定するように選択可能な複数の指定枠３２ａ−３２ｄを有する保存先判別手段３とを備える撮像対象用具を撮像した画像データに対し、基準距離情報ａを用いて、１つの前記指定枠３２ａ−３２ｄに対応した長さの距離を示す指定枠距離情報ｂを割り出し、該指定枠距離情報ｂを用いて、前記複数の指定枠３２ａ−３２ｄが含まれるように複数の仮想枠を作成し、該複数の仮想枠に対して認識対象画像データを保存する記憶手段内の複数の保存先に関する情報を割り当て、前記複数の指定枠３２ａ−３２ｄの少なくとも１つが選択された場合に、該選択された指定枠に対応する前記仮想枠に割り当てられる情報に基づいて１つの保存先を確定する。よって、かかる画像処理プログラム、装置および方法によれば、認識マーク２の基準距離情報ａに基づいて、認識対象画像データの保存先を確定することができるので、撮像対象用具の寸法とは無関係に、即ち寸法の異なる撮像対象用具に対して、認識対象画像データの保存先を確定する処理を画一的に実行できる。従って、かかる画像処理プログラム、装置および方法によれば、撮像対象用具の寸法に基づいて保存先を確定する処理を実行する煩雑さが解消されて処理時間を短縮できるなど、利便性に優れる。
【００５５】
また、かかる画像処理プログラム、装置および方法によれば、３つの付箋紙１が１つの画像に収まるように撮像された画像データに対し、付箋紙１に設けられて該付箋紙１の輪郭（外周縁）に基づき、所定範囲を含む認識対象範囲が各付箋紙１に対して作成される。よって、かかる画像処理プログラム、装置および方法によれば、３つの付箋紙１が１つの画像に収まるように撮像された画像データを用いて、複数の認識対象範囲を認識することができるので、３つの付箋紙１の各所定範囲を認識すべく１つの付箋紙１が１つの画像に収まるように撮像した画像データを複数用意する煩雑さが解消され、利便性に優れる。
【００５６】
また、かかる画像処理プログラム、装置および方法によれば、前記認識対象範囲作成手段は、前記輪郭に基づき、各付箋紙１の所定範囲に関する多角形状の枠を各付箋紙１から認識する。そして、この各多角形状の枠に基づき、前記各付箋紙１に対応した記録可能な範囲として、前記所定範囲を含む認識対象範囲を各付箋紙１に対して作成する。つまり、かかる画像処理プログラム、装置および方法によれば、３つの付箋紙１が１つの画像に収まるように撮像された画像データを用いて、各付箋紙１に対して、付箋紙１の所定範囲に対応する多角形状の枠を作成し、該多角形状の枠から認識対象範囲を作成することができる。
【００５７】
また、かかる画像処理プログラム、装置および方法によれば、保存先判別手段３によって付箋紙１の認識対象画像データの保存先を確定できるので、付箋紙１の認識対象画像データを記憶手段（メモリ）の所定の保存先（所定のフォルダ内）に確実に保存することができる。
【００５８】
また、かかる画像処理プログラム、装置および方法によれば、保存先判別マーク３１を板状本体１０の指定部３２に着脱（詳細には、付したり取り除いたり）することで、保存先を確定できるので、保存先を容易かつ円滑に選択できる。
【００５９】
また、かかる画像処理プログラム、装置および方法によれば、多角形状の枠Ｐを包含するような四角形状の枠Ｑを作成する方法、又は、多角形状の枠Ｐを四角形状の枠Ｑに近似させる方法を採用することで、多角形状の枠Ｐを用いて認識対象範囲として四角形状の枠Ｑを確実に作成することができる。また、四角形状の枠Ｑの形状を平準化処理（均質化処理）することで、例えば誤認識に基づく特異な四角形状の枠を除く（破棄する）ことができる。そして、このような四角形状の枠Ｑに基づいて、幾何補正を行うことで、幾何補正された認識対象画像データ上の保存先判別マーク３１の相対位置に基づく保存先の確定を精度良く行うことができる。
【００６０】
尚、本発明は、前記実施形態に限定されるものではなく、本発明の要旨を逸脱しない範囲で種々の変更が可能である。
【００６１】
前記本実施形態では、複数の撮像対象用具を用いて、各撮像対象用具の所望の記載可能部分Ａを画像データとして読み取り、所定の処理として保存する場合について説明したが、「処理」とは、保存に限らず、転送、画像処理（画像表示を含む）も含む。従って、例えば、認識対象範囲は、処理内容に応じて、保存対象範囲、転送対象範囲、解析対象範囲、表示対象範囲として構成可能である。
【００６２】
また、前記本実施形態では、撮像対象用具は、付箋紙１で構成される場合について説明したが、これに限らず、撮像対象用具は、板状本体と認識マークと保存先判別手段とを備えるクリアファイルや下敷き、その他用紙などで構成することも可能である。また、撮像対象用具は、正面視四角形の板状をなす板状本体１０を備える場合について説明したが、これに限らず、板状本体は、正面視多角形（四角形を除く）や円形の板状をなして構成されることも可能である。或いは、撮像対象用具は、板状の板状本体１０を備えずとも、多角柱状や円柱状などのブロック本体であって、認識マークと保存先判別手段とを有するブロック本体を備えてなることも可能である。
【００６３】
また、前記本実施形態では、認識マーク２は、板状本体１０の表面１０ａに印刷されて設けられる場合について説明したが、これに限らず、認識マーク２は、板状本体１０に着脱可能に構成されるクリップ、シール、もしくは磁石などであってもよい。
【００６４】
また、前記本実施形態では、指定枠３２ａ−３２ｄの１つが選択された場合に、該選択された指定枠に対応する前記仮想枠に割り当てられる情報に基づいて１つの保存先が確定される場合について説明したが、指定枠３２ａ−３２ｄの１つ以上が選択された場合に、該選択された指定枠に対応する前記仮想枠に割り当てられる情報に基づいて１つの保存先が確定されることも可能である。かかる構成によれば、指定枠又は仮想枠は、指定枠又は仮想枠の数以上に保存先の情報を有することができるので、指定枠又は仮想枠の数以上の保存先の指定ができ、利便性に優れる。
【００６５】
例えば、各仮想枠３３ａ−３３ｄは、各々の仮想枠が互いに異なる１つの保存先の情報を有すると共に、２つ、３つ、４つの仮想枠の選択の組合せのバリエーションに応じて前記保存先とは異なる１つの保存先の情報を有するように構成することができる。このとき、仮想枠３２ａは、保存先Ａという情報を有し、仮想枠３３ｂは保存先Ｂ、仮想枠３３ｃは保存先Ｃ、仮想枠３３ｄは保存先Ｄという情報を有すると共に、仮想枠３３ａと仮想枠３３ｂとが選択された場合は保存先Ｅ、仮想枠３３ａと仮想枠３３ｃとが選択された場合は保存先Ｆ、仮想枠３３ａと仮想枠３３ｂと仮想枠３３ｃとが選択された場合は保存先Ｇ、仮想枠３３ａと仮想枠３３ｂと仮想枠３３ｃと仮想枠３３ｄとが選択された場合は保存先Ｈという情報を有するように構成することができる。そして、指定枠３２ａ−３２ｄは少なくとも１つ以上で、２つ、３つ、４つを同時に選択可能に構成される。よって、指定枠３２ａを選択すると、対応する仮想枠３３ａの保存先Ａが指定され、指定枠３２ａと指定枠３２ｂとを同時選択すると、対応する仮想枠３３ａと仮想枠３３ｂとが同時選択された場合の保存先Ｅが指定され、指定枠３２ａと指定枠３２ｂと指定枠３２ｃとを同時選択すると、対応する仮想枠３３ａと仮想枠３３ｂと仮想枠３３ｃとが同時選択された場合の保存先Ｇが指定される。
【００６６】
また、前記本実施形態では、各指定枠は、筆記具を用いて、右下半分の三角形状の範囲（数字を含む）を全部塗潰すことで選択されるように構成される場合について説明したが、これに限らず、各指定枠は、消しゴムなどの修正具で消去可能に構成され、少なくとも１つ以上の指定枠を消去することで選択可能に構成することも可能である。
【００６７】
また、前記本実施形態では、保存先判別マーク３１は、筆記用具を用いた塗潰し部として構成される場合について説明したが、これに限らず、保存先判別マーク３１は、板状本体１０に着脱可能に構成されるクリップ、シール、もしくは磁石などであってもよい。また、保存先判別マーク３１は、板状本体１０の指定部３２（詳細には、各指定枠３２ａ−３２ｄ）に係止手段や保持手段を設けて、この係止手段や保持手段に係止又は保持される被係止部又は被保持部として構成することもできる。
【００６８】
また、前記本実施形態では、指定部３２は、左右に直線状に連続的に配置される４つの指定枠（領域）３２ａ−３２ｄで構成される場合について説明したが、これに限らず、指定部３２は、２つ以上の指定枠で構成することができる。また、指定部３２の指定枠３２ａ−３２ｄは、左右に連続して直線状に配置される構成に限らず、左右に離間して直線状に配置されたり、上下又は斜め方向に離間又は連続して直線状に配置されることも可能である。また、指定枠３２ａ−３２ｄは、直線状に配置されなくとも、例えば円形状に配置されることも可能である。さらに、指定枠３２ａ−３２ｄは、例えば板状本体１０の４隅などに分散させて配置されることも可能である。指定部３２の各指定枠３２ａ−３２ｄの形状は、四角形状に限らず、円形状や多角形状（四角形を除く）で構成することも可能である。
【００６９】
また、前記本実施形態では、画像処理において、板状本体１０（又は、記載可能部分Ａ）の上下方向（天地方向）を確定する処理はなされていないが、板状本体１０の上下方向（天地方向）を確定する処理をすることも可能である。この場合、認識マーク２は、板状本体１０（又は、記載可能部分Ａ）の上下方向（天地方向）を示すように構成されることも可能である。具体的には、認識マーク２は、画像のパターン認識によって、板状本体１０（又は、記載可能部分Ａ）の上下方向（天地方向）を確定するように構成されることができる。例えば、認識マーク２によって、認識対象範囲内の右下領域に対し、一対向部２ａの略Ｌ字形状が左側に位置し、他対向部２ｂの略反転Ｌ字形状が右側に位置し、かつ、両者が左右に並んで対向して配置されているか否かに基づいて、付箋紙１（又は、記載可能部分Ａ）の上下方向（天地方向）と画像の上下方向とを一致させるようにすることができる。
【００７０】
また、前記本実施形態では、指定枠距離ｂは、基準距離ａを定数ｎで除算することで算出される場合について説明したが、これに限らず、指定枠距離ｂは、指定枠距離ｂと基準距離ａとの関係を定めたテーブルを利用して、該テーブルに基準距離ａを入力することで算出することも可能である。
【００７１】
また、前記本実施形態では、指定枠距離ｂは、基準距離ａよりも小さい場合について説明したが、これに限らず、指定枠距離ｂは、基準距離ａと等しい又は基準距離ａよりも大きくなることも可能である。
【００７２】
また、前記本実施形態では、付箋紙１の各指定枠３２ａ−３２ｄの左右方向の長さｒ２は、基準距離ｒ１よりも小さい場合について説明したが、これに限らず、各指定枠３２ａ−３２ｄの左右方向の長さｒ２は、基準距離ｒ１と等しい又は基準距離ｒ１よりも大きく設定することも可能である。
【００７３】
また、前記本実施形態では、各付箋紙１の記載可能部分Ａを画像データとして読み取り保存する際に、多機能一体型装置であるカメラ機能付きの携帯電話機を用いる場合について説明したが、これに限らず、撮像手段及び表示手段及び画像処理手段及び記憶手段のうち少なくとも一つの手段を備える複数のコンピュータ（装置）であって、コンピュータ間でデータの受け取り・受け渡し可能な複数のコンピュータを用いることもできる。この場合、例えば、撮像手段を有するデジタルカメラと、表示手段及び画像処理手段及び記憶手段を備える汎用ＰＣとを用いて、デジタルカメラで撮像した画像データをメモリカードやＵＳＢケーブルによって汎用ＰＣに受け渡し入力することで、汎用ＰＣが画像データを格納することが可能である。
【符号の説明】
【００７４】
１…付箋紙（撮像対象用具）、２…認識マーク、３…保存先判別手段、１０…板状本体、１０ａ…表面、３１…保存先判別マーク、３２…指定部、３２ａ−３２ｄ…指定枠、３３ａ−３３ｄ…仮想枠、Ａ…記載可能部分、ａ，ｒ１…基準距離（基準距離情報）、ｂ…指定枠距離（マーク距離情報）
【図１】
2013242713.tif 000003
【図２】
2013242713.tif 000004
【図３】
2013242713.tif 000005
【図４】
2013242713.tif 000006
【図５】
2013242713.tif 000007
【図６】
2013242713.tif 000008
【図７】
2013242713.tif 000009